【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
１つまたは複数のユーザ機器（ＵＥ）の異なるグループに、アップリンク・サブフレーム内で、リソースの異なるグループを割り当てることと、ここにおいて、各ＵＥは、前記アップリンク・サブフレーム内でコンテンション・ベースのアクセスのためにその割り当てられたグループからリソースを選択する、
リソースの前記割り当てられたグループに、少なくとも部分的に、基づいて前記サブフレームにおいて前記ＵＥから受信されたアップリンク送信を復号することと、ここにおいて、前記復号することは、
成功裏に復号されない少なくとも１つのアップリンク送信から復調参照信号（ＤＭＲＳ）を検出することと、
前記検出されたＤＭＲＳに基づいて、前記アップリンク送信を送ったＵＥを識別することと、
前記識別されたＵＥにアップリンク割り当てを送信することと、
を備える、
を備える方法。
【請求項２】
前記割り当てることは、
サブフレーム未満の持続時間を有する送信時間インターバル（ＴＴＩ）に対応するリソースの少なくとも１つのグループを、１つまたは複数のＵＥのグループに、割り当てることを備える、請求項１に記載の方法。
【請求項３】
前記ＴＴＩは、サブフレームの１つの時間スロット未満の持続時間を有する、請求項２に記載の方法。
【請求項４】
前記ＵＥのうちの少なくとも１つからのアップリンク送信においてバッファ・ステータス・レポート（ＢＳＲ）を受信することと、
前記ＵＥのうちの前記少なくとも１つからの次の送信のために、前記ＢＳＲに応答して、アップリンク許可を送信することと、
をさらに備える請求項２に記載の方法。
【請求項５】
前記割り当てることは、グループ内の各ＵＥに異なる直交符号を割り当てることを備え、および、
前記復号することは、前記直交符号を使用して異なるＵＥを区別することを備える、請求項１に記載の方法。
【請求項６】
前記復号することは、
別のＵＥからのアップリンク送信を復号するために、前記区別されたＵＥのうちの少なくとも１つからのアップリンク送信に基づいて、干渉除去を実行することを備える、請求項５に記載の方法。
【請求項７】
前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１に記載の方法。
【請求項８】
前記復号することは、
別のＵＥからのアップリンク送信を復号するために、前記区別されたＵＥのうちの少なくとも１つからのアップリンク送信に基づいて、干渉除去を実行することを備える、請求項７に記載の方法。
【請求項９】
前記復号することは、
別のＵＥからのアップリンク送信を復号するために、少なくとも１つのＵＥからのアップリンク送信の少なくとも部分的な復号に基づいて、干渉除去を実行することを備える、請求項１に記載の方法。
【請求項１０】
前記割り当てることは、
符号化速度、ハイブリッド自動再送要求（ＨＡＲＱ）ターミネーション・ターゲット、ＨＡＲＱプロセスにおける再送の数、または前記異なるＵＥのトラフィック・ニーズ、のうちの少なくとも１つに基づいてＵＥの異なるグループにリソースの異なるグループを割り当てることを備える、請求項９に記載の方法。
【請求項１１】
ワイヤレス通信のための装置であって、
１つまたは複数のユーザ機器（ＵＥ）の異なるグループに、アップリンク・サブフレーム内で、リソースの異なるグループを割り当てるための手段と、ここにおいて、各ＵＥは、前記アップリンク・サブフレーム内でコンテンション・ベースのアクセスのためにその割り当てられたグループからリソースを選択する、
リソースの前記割り当てられたグループに、少なくとも部分的に、基づいて前記サブフレームにおいて前記ＵＥから受信されたアップリンク送信を復号するための手段と、ここにおいて、前記復号するための手段は、
成功裏に復号されない少なくとも１つのアップリンク送信から復調参照信号（ＤＭＲＳ）を検出するための手段と、
前記検出されたＤＭＲＳに基づいて、前記アップリンク送信を送ったＵＥを識別するための手段と、
前記識別されたＵＥにアップリンク割り当てを送信するための手段と、
を備える、
を備える装置。
【請求項１２】
前記割り当てるための手段は、
サブフレーム未満の持続時間を有する送信時間インターバル（ＴＴＩ）に対応するリソースの少なくとも１つのグループを、１つまたは複数のＵＥのグループに、割り当てるための手段を備える、請求項１１に記載の装置。
【請求項１３】
前記ＴＴＩは、サブフレームの１つの時間スロット未満の持続時間を有する、請求項１２に記載の装置。
【請求項１４】
前記割り当てるための手段は、グループ内の各ＵＥに異なる循環シフトまたはルート・シーケンスを割り当てるための手段を備え、および、
前記復号するための手段は、前記異なる循環シフトまたはルート・シーケンスを使用して異なるＵＥを区別するための手段を備える、請求項１１に記載の装置。
【請求項１５】
前記復号するための手段は、
別のＵＥからのアップリンク送信を復号するために、前記区別されたＵＥのうちの少なくとも１つからのアップリンク送信に基づいて、干渉除去を実行するための手段を備える、請求項１４に記載の装置。
【請求項１６】
前記復号するための手段は、
別のＵＥからのアップリンク送信を復号するために、少なくとも１つのＵＥからのアップリンク送信の少なくとも部分的な復号に基づいて、干渉除去を実行するための手段を備える、請求項１１に記載の装置。
【請求項１７】
少なくとも１つのプロセッサおよび前記少なくとも１つのプロセッサに結合されたメモリを備えるワイヤレス通信のための装置であって、
前記少なくとも１つのプロセッサは、
１つまたは複数のユーザ機器（ＵＥ）の異なるグループに、アップリンク・サブフレーム内で、リソースの異なるグループを割り当てるように、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記サブフレームにおいて前記ＵＥから受信されたアップリンク送信を復号するように、ここにおいて、前記アップリンク送信を復号するように構成されている前記少なくとも１つのプロセッサは、
成功裏に復号されない少なくとも１つのアップリンク送信から復調参照信号（ＤＭＲＳ）を検出するように、
前記検出されたＤＭＲＳに基づいて、前記アップリンク送信を送ったＵＥを識別するように、および、
前記識別されたＵＥにアップリンク割り当てを送信するように、
構成されている、
構成されている、装置。
【請求項１８】
前記割り当てることは、
サブフレーム未満の持続時間を有する送信時間インターバル（ＴＴＩ）に対応するリソースの少なくとも１つのグループを、１つまたは複数のＵＥのグループに割り当てることを備える、請求項１７に記載の装置。
【請求項１９】
前記ＴＴＩは、サブフレームの１つの時間スロット未満の持続時間を有する、請求項１８に記載の装置。
【請求項２０】
前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１７に記載の装置。
【請求項２１】
前記復号することは、
別のＵＥからのアップリンク送信を復号するために、前記区別されたＵＥのうちの少なくとも１つからのアップリンク送信に基づいて、干渉除去を実行することを備える、請求項２０に記載の装置。
【請求項２２】
前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１７に記載の装置。
【請求項２３】
記憶された命令を有するワイヤレス通信のための非一時的コンピュータ可読媒体であって、前記命令は、
１つまたは複数のユーザ機器（ＵＥ）の異なるグループに、アップリンク・サブフレーム内で、リソースの異なるグループを割り当てることと、ここにおいて、各ＵＥは、前記アップリンク・サブフレーム内でコンテンション・ベースのアクセスのためにその割り当てられたグループからリソースを選択する、
リソースの前記割り当てられたグループに、少なくとも部分的に、基づいて前記サブフレームにおいて前記ＵＥから受信されたアップリンク送信を復号することと、ここにおいて、前記復号することは、
成功裏に復号されない少なくとも１つのアップリンク送信から復調参照信号（ＤＭＲＳ）を検出することと、
前記検出されたＤＭＲＳに基づいて、前記アップリンク送信を送ったＵＥを識別することと、
前記識別されたＵＥにアップリンク割り当てを送信することと、
を備える、
のために１つまたは複数のプロセッサによって実行可能である、コンピュータ可読媒体。
【請求項２４】
前記割り当てることは、
サブフレーム未満の持続時間を有する送信時間インターバル（ＴＴＩ）に対応するリソースの少なくとも１つのグループを、１つまたは複数のＵＥのグループに、割り当てることを備える、請求項２３に記載のコンピュータ可読媒体。
【請求項２５】
前記ＴＴＩは、サブフレームの１つの時間スロット未満の持続時間を有する、請求項２４に記載のコンピュータ可読媒体。
【請求項２６】
前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項２３に記載のコンピュータ可読媒体。
【請求項２７】
前記復号することは、
別のＵＥからのアップリンク送信を復号するために、前記区別されたＵＥのうちの少なくとも１つからのアップリンク送信に基づいて、干渉除去を実行することを備える、請求項２６に記載のコンピュータ可読媒体。